(57)【要約】【課題】各種アンテナと電池パックとが近接配置されても、アンテナの感度の劣化を抑制することができる通信機器を提供する。【解決手段】基準電位部３４を有する基板３０と、基板３０に配置される、金属部４２を有する充電池４０と、充電池４０からの給電により動作される電子部品３６と、充電池４０の電源電圧を電子部品３６の動作に必要な所定の電圧に変換する電圧変換部３２と、充電池４０と近接して配置されるメインアンテナ５０と、充電池４０の金属部４２と基準電位部３４とを高周波的に接続する高周波接続部３５と、を有する。【選択図】図５
2008277965.tif 000002
【特許請求の範囲】
【請求項１】
内部に基準電位部を有する筐体と、
前記筐体内に配置されると共に、金属部を有する電池と、
前記筐体内に配置されると共に、前記電池からの給電により動作される電子部品と、
前記筐体内に配置されると共に、前記電池の電源電圧を前記電子部品の動作に必要な所定の電圧に変換する電圧変換部と、
前記電池と近接して配置されるアンテナと、
前記電池の金属部と前記基準電位部とを高周波的に接続する高周波接続部と、を有することを特徴とする通信機器。
【請求項２】
前記筐体内には、前記基準電位部を有する回路基板が配置され、
前記回路基板上の前記電池の金属部と対向する部位には、前記電子部品が配置される、ことを特徴とする請求項１に記載の通信機器。
【請求項３】
前記筐体内には、前記基準電位部を有して、前記電池が対向して配置される回路基板が配置され、
前記回路基板上の前記電池の金属部と対向する部位には、前記電子部品に信号を伝送するための配線パターンが形成される、ことを特徴とする請求項１に記載の通信機器。
【請求項４】
前記高周波接続部は、前記金属部と前記基準電位部とを接続するコンデンサである、ことを特微とする請求項１乃至３のいずれか一項に記載の通信機器。
【請求項５】
前記高周波接続部は、前記金属部と容量結合されると共に、前記基準電位部と電気的に接続される金属性の部材により構成される、ことを特徴とする請求項１乃至３のいずれか一項に記載の通信機器。
【請求項６】
前記電池は、前記金属部が絶縁シートにより被覆されて構成され、
前記金属性の部材により構成される前記高周波接続部は、前記絶縁シートと前記筐体内の前記基準電位部とにより挟持される弾性部材である、ことを特徴とする請求項５に記載の通信機器。
【発明の詳細な説明】
【技術分野】
【０００１】
本発明は、電池を内蔵する通信機器に関する。
【背景技術】
【０００２】
携帯電話では、入力電圧の異なる多くのＩＣが基板上に搭載されており、内蔵されている電池により電源電圧の供給を受けている。詳細には、電池から出力された電源電圧は、ＤＣ−ＤＣコンバータやレギュレータ等により所定の電圧に変換された後、各種ＩＣに供給される（例えば、特許文献１を参照。）。
【特許文献１】特開２０００−７８０７４号公報
【発明の開示】
【発明が解決しようとする課題】
【０００３】
ここで、ＤＣ−ＤＣコンバータは、レギュレータに比べて消費電力が少ないが、高速でスイッチング（ＯＮとＯＦＦの繰り返し）動作することにより、電池から供給される電源電圧を所定の電源電圧に変換しているため、いわゆるスイッチングノイズ（高周波ノイズ）が発生し、入力端子であるホット側（以下、Ｖ−ＢＡＴＴラインという。）に重畳されてしまう。
【０００４】
そこで、一般的には、高周波ノイズを低減させるために、ＤＣ−ＤＣコンバータの入力側にバイバスコンデンサを設け、Ｖ−ＢＡＴＴラインに重畳されている高周波的な電位をメイン基板のＧＮＤに近づける方法を採用する。しかし、全てのラインは、インピーダンスを持っており、バイパスコンデンサから遠ざかるにしたがい、ＧＮＤとの電位差が発生するため、バイパスコンデンサから遠い場所ほど高周波ノイズが増加する傾向にある。
【０００５】
また、Ｖ−ＢＡＴＴラインは、電池の正極と直接的に接続される構成であるため、Ｖ−ＢＡＴＴラインに重畳されたスイッチングノイズが電池パックケースに流れ、電池の正極から携帯電話の筐体内外に放射される場合がある。
【０００６】
また、近年においては、携帯電話は、筐体自体の小型化と共に内蔵アンテナを複数有する傾向にあるため、電池パックと各種のアンテナ（例えば、通話等のアンテナ、放送波受信用のアンテナ、ＧＰＳ用のアンテナ等）とが近接配置されてしまい、電池パックに発生している高周波ノイズがアンテナから回り込むことによって、アンテナ感度が劣化してしまうおそれがある。
【０００７】
そこで、本発明は、上述のような課題に鑑みてなされたものであり、その目的の一つは、アンテナと電池とが近接配置されても、アンテナの感度の劣化を抑制することができる通信機器を提供することにある。
【課題を解決するための手段】
【０００８】
本発明に係る通信機器は、上記課題を解決するために、内部に基準電位部を有する筐体と、前記筐体内に配置されると共に、金属部を有する電池と、前記筐体内に配置されると共に、前記電池からの給電により動作される電子部品と、前記筐体内に配置されると共に、前記電池の電源電圧を前記電子部品の動作に必要な所定の電圧に変換する電圧変換部と、前記電池と近接して配置されるアンテナと、前記電池の金属部と前記基準電位部とを高周波的に接続する高周波接続部と、を有することを特徴とする。
【０００９】
また、上記通信機器では、前記筐体内には、前記基準電位部を有する回路基板が配置され、前記回路基板上の前記電池の金属部と対向する部位には、前記電子部品が配置されることが好ましい。
【００１０】
また、上記通信機器では、前記筐体内には、前記基準電位部を有して、前記電池が対向して配置される回路基板が配置され、前記回路基板上の前記電池の金属部と対向する部位には、前記電子部品に信号を伝送するための配線パターンが形成されることが好ましい。
【００１１】
また、上記通信機器では、前記高周波接続部は、前記金属部と前記基準電位部とを接続するコンデンサであることが好ましい。
【００１２】
また、上記通信機器では、前記高周波接続部は、前記金属部と容量結合されると共に、前記基準電位部と電気的に接続される金属性の部材により構成されることが好ましい。
【００１３】
また、上記通信機器では、前記電池は、前記金属部が絶縁シートにより被覆されて構成され、前記金属性の部材により構成される前記高周波接続部は、前記絶縁シートと前記筐体内の前記基準電位部とにより挟持される弾性部材であることが好ましい。
【発明の効果】
【００１４】
本発明によれば、電池パックが近接配置されても、アンテナ感度の劣化を抑制することができる。
【発明を実施するための最良の形態】
【００１５】
以下、本発明の実施の形態について説明する。
【００１６】
図１は、本発明に係る携帯端末の一例である携帯電話装置１の外観斜視図を示す。なお、以下では、携帯電話装置について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１７】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１８】
また、表示部側筐体部３は、表面部２０に、各種情報を表示するためのディスプレイ２１と、通話の相手側の音声を出力する音声出力部２２と、を備えて構成されている。
【００１９】
また、上述した操作キー群１１、マイク１２、ディスプレイ２１及び音声出力部２２は、後述する処理部６２を構成している。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２１】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００２２】
また、図２は、操作部側筐体部２の一部を分解した斜視図を示している。操作部側筐体部２は、図２に示すように、基板３０と、充電池４０と、メインアンテナ５０等がリアケース部６０に収納されて構成されている。また、充電池４０は、着脱可能な充電池カバー（バッテリーリッド）７０により覆われている。
【００２３】
基板３０には、各種電子部品（例えば、メインアンテナ５０により外部機器（基地局）と通信を行う際の通信処理を行う通信処理部や、カメラユニットにより撮像されたデータを処理する画像処理部や、音楽再生を行う音声処理部等）が配置されている。
【００２４】
また、基板３０には、詳細は後述するが、充電池４０の端子４１と接続される端子３１と、充電池４０の電源電圧を変換する電圧変換部３２と、各種電子部品を制御する制御部（メインＣＰＵ）３３と、が電子部品として配置されている。
【００２５】
端子３１は、充電池４０がリアケース部６０に適式に装着されることにより、充電池４０の端子４１（正極端子、負極端子、ＩＤ端子（充電池４０の満充電電圧値や属性を示す情報の読み出しが行われる端子））と電気的に接続され、充電池４０から供給される電源電圧を電圧変換部３２に供給する。
【００２６】
電圧変換部３２は、例えば、ＤＣ−ＤＣコンバータにより構成されており、端子３１を介して充電池４０から供給される電源電圧を所定の電圧値に変圧し、変圧後の電源電圧を基板３０に配置されている各種電子部品に供給する。また、電圧変換部３２は、図示しないが、変圧後の電源電圧を表示部側筐体部３にも供給する。
【００２７】
制御部３３は、例えば、表面部１０上に露出形成されている操作キー群１１がユーザにより操作されたときに、当該操作に応じた制御を各種電子部品に対して行い、各種電子部品に所定の動作をさせる。
【００２８】
充電池４０は、所定容量を有する電池であり、例えば、リチウムイオン二次電池である。また、充電池４０は、図３に示すように、基板３０上に配置されている端子３１と電気的に接続される端子４１（正極端子、負極端子、ＩＤ端子）と、本体とから構成されている。本体は、正極端子に接続されているアルミニウムケース（以下、金属部４２という。）で構成されており、外側から絶縁シール４３により被覆されている。
【００２９】
メインアンテナ５０は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ５０は、所定の使用周波数帯の他に、第２の使用周波数帯（例えば、２ＧＨｚ）に対応できる、いわゆるデュアルバンド対応型による構成であっても良いし、さらに、第３の使用周波数帯にも対応できる複数バンド対応型により構成されていても良い。
【００３０】
リアケース部６０は、ヒンジ機構４を固定するヒンジ機構固定部４２Ａと、メインアンテナ５０を収納するメインアンテナ収納部４２Ｂと、充電池４０を格納する充電池格納部４２Ｃと、を備えている。
【００３１】
ここで、電圧変換部３２は、高速でスイッチング（ＯＮとＯＦＦの繰り返し）動作を行うことにより、充電池４０から供給される電源電圧を所定の電源電圧に変換しているため、いわゆるスイッチングノイズ（高周波ノイズ）が発生し、入力端子であるホット側（以下、Ｖ−ＢＡＴＴラインという。）に重畳されてしまう。
【００３２】
また、Ｖ−ＢＡＴＴラインは、充電池４０のケース（金属部４２）に接続される構成であるため、Ｖ−ＢＡＴＴラインに重畳されたスイッチングノイズ（高周波ノイズ）ＳＮが充電池４０のケースに流れ、充電池４０のケースから筐体内部に放射される場合がある（図４を参照）。
【００３３】
このような場合には、充電池４０の端子４１が設けられている側と対向する他方側付近に配置されているメインアンテナ５０の感度劣化の原因になってしまうおそれがある。
【００３４】
そこで、本発明に係る携帯電話装置１では、以下に示す構成を採用することにより、充電池４０とメインアンテナ５０とが近接配置された場合の当該アンテナの感度の劣化を抑制するようにしている。
【００３５】
携帯電話装置１では、基板３０は、基準電位部（グランドパターン）３４を有しており、また、充電池４０の金属部４２と基準電位部３４とを高周波的に接続する高周波接続部３５と、を有する（図５を参照）。
【００３６】
このような構成によれば、携帯電話装置１は、充電池４０の金属部４２に発生した高周波ノイズを、高周波接続部３５を介して基準電位部３４に流すことができるため、充電池４０の金属部４２から放射される高周波ノイズを低減することができる。したがって、携帯電話装置１は、高周波信号の送受信を行うメインアンテナ５０が充電池４０に近接的に配置されても、メインアンテナ５０の感度の劣化を好適に抑制することができる。
【００３７】
また、従来の構成では、充電池４０の端子４１付近にバイパスコンデンサを設け、充電池４０からの高周波ノイズを抑えていたが、本発明では、さらに充電池４０（金属部４２）を多点で高周波的にＧＮＤ（基準電位部３４）に落とすことで、充電池４０に生ずる高周波ノイズが抑えられ、携帯電話装置１全体におけるアンテナの感度抑圧を改善することができる。なお、充電池４０のバイパスコンデンサから離れた部位ほど、ＧＮＤとの電位差が発生しやすいため、高周波接続部３５は、できるだけ充電池４０のバイパスコンデンサから離れた部位に配置されている方が、アンテナの感度の劣化抑制の観点から好ましい。すなわち、本実施形態においては、高周波接続部３５は、充電池４０のメインアンテナ５０に近接する部位に配置されることが好ましい。
【００３８】
また、携帯電話装置１では、基板３０上には、所定の電子部品３６が配置されており、電子部品３６の一部又は全部の上面が充電池４０の金属部４２に対向している（図６を参照）。
【００３９】
このようにして、本発明に係る携帯電話装置１は、基板３０上に配置されている電子部品３６の一部又は全部の上面を充電池４０が覆うように配置されるので、充電池４０が電子部品３６から放射される高周波ノイズを遮断する、いわゆるシールド効果を奏する（図６中の点線ａは、シールド効果を模式的に示している。）。具体的には、電子部品３６と充電池４０の金属部４２とが高周波的に接続される構成になるため、電子部品３６により放射される高周波ノイズを、充電池４０を介して基準電位部３４に流すことができる。したがって、携帯電話装置１は、電子部品３６により生ずる高周波ノイズを低減させることができ、メインアンテナ５０の感度の劣化を好適に抑制することができる。
【００４０】
また、携帯電話装置１では、基板３０において、充電池４０の金属部４２と対向する部位には、電子部品に信号を伝送するための配線パターン３７が形成される（図７を参照）。
【００４１】
このようにして、本発明に係る携帯電話装置１は、基板３０上に形成されている配線パターン３７の上面を充電池４０が覆うように配置されるので、充電池４０が配線パターン３７から生ずる高周波ノイズを遮断する、いわゆるシールド効果を奏する。具体的には、配線パターン３７と充電池４０の金属部４２とが高周波的に接続される構成になるため、配線パターン３７により生ずる高周波ノイズを、充電池４０を介して基準電位部３４に流すことができる。したがって、本発明に係る携帯電話装置１は、配線パターン３７により生ずる高周波ノイズを低減させることができ、メインアンテナ５０の感度の劣化を好適に抑制することができる。
【００４２】
また、携帯電話装置１では、高周波接続部３５は、充電池４０の金属部４２と基準電位部３４とを接続するコンデンサを含んで構成されている。
【００４３】
ここで、高周波接続部３５の構成について図８を参照して説明する。高周波接続部３５は、図８（Ａ）に示すように、フレキ基板１００上に、充電池４０の表面（絶縁シール４３）の一部に金属部４２が露出されている部分（図８（Ｂ）を参照）と電気的に接触する第１の接触部１０１と、基板３０上に形成されている接触ピン３８と電気的に接触する第２の接触部１０２と、第１の接触部１０１と第２の接触部１０２とを電気的に結合する線上に配置される所定容量を有するチップコンデンサ１０３と、により構成される。なお、基板３０上に形成されている接触ピン３８は、例えば、伸縮自在のスプリングピンで構成されており、基準電位部３４と電気的に接触している。また、チップコンデンサ１０３の容量は、例えば、３３ｐＦから１０００ｐＦであり、メインアンテナ５０の使用周波数に応じて適宜選択される（例えば、メインアンテナ５０の使用周波数が８００ＭＨｚの場合には、チップコンデンサ１０３の容量は１００ｐＦにする。）。
【００４４】
また、高周波接続部３５は、図８中の折り返し部（Ａ−Ａ）でＢ方向に折り返され、第１の接触部１０１と充電池４０表面における金属部４２が露出されている部分とを電気的に接触するように、充電池４０に貼付される（図８（Ｃ）を参照）。なお、チップコンデンサ１０３は、保護シール１０４により覆われていても良い。
【００４５】
したがって、充電池４０がリアケース部６０に適式に装着されることにより、充電池４０の端子４１（正極端子、負極端子、ＩＤ端子）は、基板３０上に形成されている端子３１と電気的に接続され、かつ、充電池４０に貼付されている高周波接続部３５の第２の接触部１０２は、基板３０上に形成されている接触ピン３８と電気的に接続される。ここで、図８（Ｄ）には、充電池４０に貼付された高周波接続部３５の第２の接触部１０２と接触ピン３８とが接続される様子を、基板３０の裏面から見たときの透過図を示し、図８（Ｅ）には、上述した構成を模式的に表した電気回路図を示す。
【００４６】
このような構成によれば、携帯電話装置１は、充電池４０の金属部４２に発生した高周波ノイズを、第１の接触部１０１→チップコンデンサ１０３→第２の接触部１０２→接触ピン３８→基準電位部３４に流すことができるため、充電池４０の金属部４２から高周波ノイズを低減することができる。したがって、携帯電話装置１は、高周波信号の送受信を行うメインアンテナ５０が充電池４０に近接的に配置されても、メインアンテナ５０の感度の劣化を抑制することができる。
【００４７】
また、高周波接続部３５は、チップコンデンサ１０３により構成されているので、充電池４０に貼付されても厚みを最小限に抑えることができる。なお、図８においては、一つの高周波接続部３５が充電池４０に貼付されている例を示したが、これに限られず、複数個の高周波接続部３５が充電池４０に貼付される構成であっても良い。
【００４８】
また、携帯電話装置１では、高周波接続部３５は、充電池４０の金属部４２と容量結合されると共に、基板３０上に形成されている基準電位部３４と電気的に接続される金属性の部材により構成される。
【００４９】
ここで、高周波接続部３５の構成について図９を参照して説明する。
【００５０】
携帯電話装置１は、図９（Ａ）に示すように、高周波接続部３５をチップコンデンサ１０３のみで構成し、チップコンデンサ１０３が基板３０上の所定の場所に配置される。このような構成の場合には、充電池４０（表面（絶縁シール４３）の一部に金属部４２が露出されている部分（図８（Ｂ）を参照）が形成されている）がリアケース部６０に適式に装着されることにより、充電池４０の端子４１（正極端子、負極端子、ＩＤ端子）は、基板３０上に形成されている端子３１と電気的に接続され、かつ、充電池４０の金属部４２が露出している部分は、基板３０上に形成されている接触ピン３８と電気的に接続される。ここで、図９（Ｂ）には、上述した構成を模式的に表した電気回路図を示す。
【００５１】
このような構成によれば、携帯電話装置１は、充電池４０の金属部４２と基板３０の基準電位部３４とを近接配置できない場合であっても、充電池４０の金属部４２に発生した高周波ノイズを、接触ピン３８→チップコンデンサ１０３→基準電位部３４に流すことができるため、充電池４０の金属部４２から高周波ノイズを低減することができる。したがって、携帯電話装置１は、高周波信号の送受信を行うメインアンテナ５０が充電池４０に近接的に配置されても、メインアンテナ５０の感度の劣化を抑制することができる。
【００５２】
また、高周波接続部３５は、チップコンデンサ１０３により構成されているので、厚みを最小限に抑えることができる。
【００５３】
また、携帯電話装置１では、充電池４０は、その金属部４２がシート状の絶縁シール４３により被覆されており、高周波接続部３５は、金属性の部材（導電性の部材であっても良い。）により構成されており、絶縁シール４３と基準電位部３４が形成されている基板３０とにより挟持されている。なお、高周波接続部３５は、例えば、ＥＭＩ（電磁波防止）ガスケットのような弾力性のある弾性部材が好ましい。
【００５４】
したがって、充電池４０がリアケース部６０に適式に装着され、充電池カバー７０を装着することにより、充電池４０の端子４１（正極端子、負極端子、ＩＤ端子）は、基板３０上に形成されている端子３１と電気的に接続され、かつ、充電池カバー７０の装着により充電池４０と高周波接続部３５と基板３０とが密着し、高周波接続部３５は、基板３０に対して面全体で電気的に接続される。ここで、図１０（Ａ）には、充電池４０が基板３０に接続されたときの断面図を示し、図１０（Ｂ）には、分解斜視図を示す。なお、基板３０は、図１０（Ｂ）に示すように、ＧＮＤ部分（基準電位部３４）のみが表面に露出し、その他の部分はレジスト膜２０１で塗布されていても良い。
【００５５】
このような構成によれば、携帯電話装置１は、充電池４０の端子４１と基板３０の端子３１以外で直接的に接触していないが、基板３０と充電池４０との間に高周波接続部３５を設けることにより、充電池４０の表面全体を基板３０のＧＮＤ（基準電位部３４）と高周波的に同電位にすることができる。
【００５６】
また、高周波接続部３５は、充電池カバー７０による押圧効果により、充電池４０の表面全体と密着に接触し、かつ基板３０と密着に面接触するので、接触を均等にすることができ、充電池４０の金属部４２に発生した高周波ノイズを、高周波接続部３５を介して基準電位部３４に効率的に流し、充電池４０の金属部４２から高周波ノイズを低減することができる。
【００５７】
また、基板３０は、図１０（Ｂ）に示すように、所定部分（例えば、中心部分）に配線パターンやテストピン（ＴＰ）が設けられている場合には、ＴＰ上に絶縁シート２００を貼付する。
【００５８】
また、ＴＰは、２０〜３０個程度が必要であり、これを部品間にちりばめると、基板３０のスペースを無駄にしてしまう。そこで、図１０（Ｂ）に示すように、基板３０の中央部分にＴＰを設け、検査等で使用した後、ＴＰ上に絶縁シート２００を貼付することで、導電性シート（高周波接続部３５）とのショートを防止し、基板３０上のスペースの有効活用ができる。また、ＴＰの部分は、導電シートにより、基板３０のＧＮＤ（基準電位部３４）と同電位にすることができる。
【００５９】
また、基板３０の表面の中心部分には、ＴＰ以外にも配線パターンを形成しても良い。本発明に係る携帯電話装置１は、基板３０上に形成されている配線パターンの上面を、高周波接続部３５を介して充電池４０が覆うように配置されるので、充電池４０が配線パターン３７から放射される高周波ノイズを遮断する、いわゆるシールド効果を奏する。したがって、本発明に係る携帯電話装置１では、配線パターンを基板３０の最表面層に形成することができ、基板３０の最表面層を有効活用することができ、基板３０の層を減らすこともでき、薄型化やコスト削減を図ることができる。
【００６０】
また、基板３０に配置されているＩＣ（電子部品）から放射される高周波ノイズは、通常、基板３０に積層されているＧＮＤ層によって減衰されるように設計されている。しかし、基板３０に積層されている各層では、電子部品及び配線パターンが過密状態になっており、理想的なＧＮＤ層の形成が困難となっている。このため、ＧＮＤ層は、ＩＣから放射される高周波ノイズを完全に減衰できず、裏面（充電池４０）側から放射される。
【００６１】
本発明に係る携帯電話装置１では、導電性シート（高周波接続部３５）及び高周波的にＧＮＤ（基準電位部３４）に近接させた充電池４０により高周波シールドされ、裏面（充電池４０）側から放射されるＩＣによる高周波ノイズを低減することができる。
【００６２】
また、充電池４０の電極活物質は、充放電により、電気化学的なリチウム挿入脱離に伴って、体積の膨張・収縮を起こす。なお、この膨張は、充電池４０の通常の使用状態において、経年変化により、許容される範囲において生じる現象である。本発明に係る携帯電話装置１では、充電池４０が膨張を起こしても、高周波接続部３５が金属性の部材である弾性部材である場合には、充電池４０の金属部４２と高周波接続部３５との容量結合の程度を好適に維持することができる。
【図面の簡単な説明】
【００６３】
【図１】本発明に係る携帯電話装置の外観を示す斜視図である。
【図２】本発明に係る携帯電話装置に備えられている操作部側筐体部の構成を示す斜視図である。
【図３】充電池の構造を示す図である。
【図４】基板に接続された充電池の従来の構成を示す図である。
【図５】本発明に係る携帯電話装置の第１の形態の断面図を示す。
【図６】本発明に係る携帯電話装置の第２の形態の断面図を示す。
【図７】本発明に係る携帯電話装置の第３の形態の断面図を示す。
【図８】本発明に係る携帯電話装置の高周波接続部の第１の構成を示す図である。
【図９】本発明に係る携帯電話装置の高周波接続部の第２の構成を示す図である。
【図１０】本発明に係る携帯電話装置の第４の形態の断面図を示す。
【符号の説明】
【００６４】
１  携帯電話装置
２  操作部側筐体部
３  表示部側筐体部
４  ヒンジ機構
３０  基板
３１、４１  端子
３２  電圧変換部
３３  制御部
３４  基準電位部（ＧＮＤ）
３５  高周波接続部
３６  電子部品
３７  配線パターン
３８  接触ピン
４０  充電池
４２  金属部
４３  絶縁シール
５０  メインアンテナ
６０  リアケース部
７０  充電池カバー
１００  フレキ基板
１０１  第１の接触部
１０２  第２の接触部
１０３  チップコンデンサ
【図１】
2008277965.tif 000003
【図２】
2008277965.tif 000004
【図３】
2008277965.tif 000005
【図４】
2008277965.tif 000006
【図５】
2008277965.tif 000007
【図６】
2008277965.tif 000008
【図７】
2008277965.tif 000009
【図８】
2008277965.tif 000010
【図９】
2008277965.tif 000011
【図１０】
2008277965.tif 000012